(57)【要約】【課題】投影光学系の結像性能を高精度に算出する。【解決手段】第１の照明条件下で、投影光学系を介して投影光学系の光軸に直交する面内の少なくとも１つの評価位置に計測マークの第１の像が形成される（ステップ３０２、３０４）。また、第２の照明条件下で、投影光学系を介して前記少なくとも１つの評価位置に前記計測マークの第２の像が形成される（ステップ３０８、３１４）。この場合、第１の照明条件下、第２の照明条件下における、デフォーカス量と位置ずれ量との関係は既知である。そして、上記の関係と、投影光学系の光軸に直交する面内における前記第１の像の位置と前記第２の像の位置とに基づいて、前記投影光学系の結像性能を算出する（ステップ３２４）。従って、描画誤差やシフター誤差などの影響を受けることなく、投影光学系の結像性能を高精度に求めることが可能になる。【選択図】図６
2006080299.tif 000002
【特許請求の範囲】
【請求項１】
投影光学系を介した計測マークの像がそのデフォーカス量に応じて、前記投影光学系の光軸に直交する面内で位置ずれする現象を利用して、前記投影光学系の結像性能を計測する結像性能計測方法であって、
第１の照明条件下で、前記投影光学系を介して前記投影光学系の光軸に直交する面内の少なくとも１つの評価位置に前記計測マークの第１の像を形成する第１工程と；
前記第１の照明条件とは異なる第２の照明条件下で、前記投影光学系を介して前記少なくとも１つの評価位置に前記計測マークの第２の像を形成する第２工程と；
前記投影光学系の光軸に直交する面内における前記第１の像の位置情報と前記第２の像の位置情報とに基づいて、前記投影光学系の結像性能を算出する第３工程と；を含む結像性能計測方法。
【請求項２】
前記計測マークは、位相シフトマークであり、
前記第２の照明条件は、前記第１の照明条件に比べてコヒーレンスファクタが大きい照明条件であることを特徴とする請求項１に記載の結像性能計測方法。
【請求項３】
前記第１の照明条件は、そのコヒーレンスファクタが０．５以下の照明条件であることを特徴とする請求項２に記載の結像性能計測方法。
【請求項４】
前記計測マークは、所定の計測方向に交差する方向を長手方向とするラインパターンと、該ラインパターンの近傍に設けられ、通過する光の位相をずらすための位相シフト部とを含むことを特徴とする請求項２又は３に記載の結像性能計測方法。
【請求項５】
前記計測マークは前記投影光学系の物体面に配置されたマーク形成部材に形成され、該マーク形成部材には、前記投影光学系の光軸に垂直な面内で、前記第１、第２の像それぞれに関し、前記計測方向の位置の基準となる基準マーク像を形成するための基準マークが形成され、該基準マークは、前記計測マークに対して既知の位置関係にあることを特徴とする請求項４に記載の結像性能計測方法。
【請求項６】
前記第３工程では、前記基準マークの像と前記計測マークの前記第１の像との第１の位置関係と、前記基準マークの像と前記計測マークの前記第２の像との第２の位置関係とを算出し、前記第１、第２の位置関係に基づいて、前記投影光学系の結像性能を算出することを特徴とする請求項５に記載の結像性能計測方法。
【請求項７】
前記基準マークの像が、前記第１の照明条件下では、前記投影光学系の光軸に垂直な面内で前記計測マークの前記第１の像とは反対向きに前記計測方向に関してデフォーカス量に応じて位置ずれすることを特徴とする請求項５又は６に記載の結像性能計測方法。
【請求項８】
前記第１、第２工程では、前記投影光学系を介して、前記投影光学系の光軸に直交する面内の１つの評価位置に前記計測マークの第１、第２の像をそれぞれ形成し、
前記第３工程では、前記投影光学系の結像性能としてベストフォーカス位置を算出することを特徴とする請求項１〜７のいずれか一項に記載の結像性能計測方法。
【請求項９】
前記第１、第２工程では、前記投影光学系を介して、前記投影光学系の光軸に直交する面内の複数の評価位置に前記計測マークの第１、第２の像をそれぞれ形成し、
前記第３工程では、前記投影光学系の結像性能として最良結像面を算出することを特徴とする請求項１〜７のいずれか一項に記載の結像性能計測方法。
【請求項１０】
前記計測マークは、ボックス状のパターンから成ることを特徴とする請求項１〜９のいずれか一項に記載の結像性能計測方法。
【請求項１１】
前記第１、第２の像は、前記投影光学系の像面側に配置された感光物体上に形成される前記計測マークの転写像であることを特徴する請求項１〜１０のいずれか一項に記載の結像性能計測方法。
【請求項１２】
照明系からの照明光により、マスクステージ上に載置されたマスクを照明し、前記マスクに形成されたパターンを投影光学系を介して物体ステージ上に載置された物体に転写する露光方法であって、
請求項１〜１１のいずれか一項に記載の結像性能計測方法を用いて前記投影光学系の結像性能を計測する工程と；
前記結像性能の計測結果を考慮して前記照明系、マスクステージ、投影光学系及び前記物体ステージの少なくとも一部を調整しつつ、前記マスクに形成されたパターンを前記投影光学系を介して物体上に転写する工程と；を含む露光方法。
【請求項１３】
前記転写する工程に先立ち、
前記結像性能の計測結果を考慮して、前記照明系、マスクステージ、投影光学系及び前記物体ステージの少なくとも一部を調整する工程を更に含む請求項１２に記載の露光方法。
【発明の詳細な説明】
【技術分野】
【０００１】
本発明は結像性能計測方法及び露光方法に係り、更に詳しくは、投影光学系の結像性能を計測する結像性能計測方法及び該結像性能計測方法を用いる露光方法に関する。
【背景技術】
【０００２】
従来より、半導体素子（ＣＰＵ，ＤＲＡＭ等）、液晶表示素子、撮像素子（ＣＣＤ等）あるいは薄膜磁気ヘッド等を製造するリソグラフィ工程では、ウエハ又はガラスプレート等の物体（以下、「ウエハ」と総称する）上にデバイスパターンを形成する種々の露光装置が用いられている。近年においては、半導体素子等の高集積化に伴い、高いスループットで微細パターンを精度良くウエハ上に形成可能なステップ・アンド・リピート方式の縮小投影露光装置（いわゆるステッパ）やこのステッパに改良を加えたステップ・アンド・スキャン方式の走査型露光装置（いわゆるスキャニング・ステッパ（スキャナとも呼ばれる））等の投影露光装置が主として用いられている。
【０００３】
ところで、半導体素子等を製造する場合には、いわゆる重ね合わせ精度（ウエハ上にパターンを形成し、次工程でさらにパターンを形成したときの相対的な位置精度）が良好であるとともに、デフォーカスによる回路パターンの像ぼけや色むらなどのない露光を行うことも重要である。従って、投影露光装置では、投影光学系のデフォーカス量又はベストフォーカス位置などのフォーカス性能や、像面（最良結像面）等の結像性能を正確に計測し、評価する必要がある。
【０００４】
投影露光装置におけるフォーカス性能を評価する手段として、最近では、ＰＳＦＭ（Phase Shift Focus Monitor）を用いた評価方法が注目されている（例えば、特許文献１、２参照）。
【０００５】
特許文献１に記載の評価方法は、孤立線状のパターンが形成されたいわゆるレベンソン型の位相シフトマスク（レチクル）を用いて露光を行う場合に、デフォーカス状態で露光を行った場合に投影光学系によって形成されるその孤立線状のパターンの像が、フォーカス状態で露光を行った場合に形成されるその孤立線状のパターンの像に対して、横方向（投影光学系の光軸に垂直な面内の方向）に位置ずれ（移動）するという現象を利用し、その位置ずれ量をデフォーカス量に換算して、フォーカス性能を評価するものである。
【０００６】
一方、特許文献２に記載の評価方法は、回折格子パターンにおける＋１次光と−１次光の回折効率が異なる（理想的には一方が零）非対称回折格子パターンが形成されたフォーカステストマスクを用いて露光を行う場合に、デフォーカス状態で露光を行った場合に投影光学系によって形成される非対称回折格子パターンの像が、フォーカス状態で露光を行った場合に形成される非対称回折格子パターンの像に対して横方向に位置ずれ（移動）するという現象を利用し、その位置ずれ量をデフォーカス量に換算して、フォーカス性能を評価するものである。
【０００７】
しかるに、上記特許文献１や特許文献２に開示される評価方法を用いて投影光学系のフォーカス性能を評価するためには、位相シフトマスク又はフォーカステストマスク上のパターンの位置や配列が正確に設計値に一致していること、すなわちパターンの描画誤差などがないことが重要である。
【０００８】
しかしながら、現状のマスクの製造工程を考えれば、描画誤差を無くすことは、事実上殆ど困難である。また、位相シフトマスクでは、シフター誤差も存在し、これによって計測誤差が発生するおそれもある。
【０００９】
従って、これまでは、上述したような評価方法を用いる場合、描画誤差を０と仮定し、像の位置計測によって得られた値（前述の位置ずれ量に相当）を換算した値がデフォーカス量であるとしてそのまま利用するか、あるいは、換算した値はあくまでフォーカス再現性や、一のショット領域に対する他のショット領域でのデフォーカス量（相対値）として利用することしかできなかった。すなわち、評価点間等の相対的な値を計測することができるものの、フォーカス位置の絶対的な値を正確に求めることができなかった。
【００１０】
なお、上述の位相シフトマスク又はフォーカステストマスク上のパターンの線幅や位置を計測することによりレチクルパターンの描画誤差を求めることは可能であるが、そのためには別途ＳＥＭ（走査型電子顕微鏡）などの高価な計測装置を用意する必要があった。また、ＳＥＭ等を用いてパターンの線幅や位置を計測する場合には、長時間の計測時間が必要であった。これは、ＳＥＭでは、ウエハは、搬入後、大気側の搬送系でのアライメント処理の後、ロードロック室へ搬送され、さらに真空側の搬送系でロードロック室にて一定の真空度まで排気した後、試料室に搬送されるなどの準備作業を経た後に、計測が開始されるなどのためである。
【００１１】
【特許文献１】米国特許第５，３００，７８６号明細書
【特許文献２】特許第３，２９７，４２３号公報
【発明の開示】
【課題を解決するための手段】
【００１２】
発明者等が、投影光学系による投影像が投影光学系の光軸に直交する面内でそのデフォーカス量に応じて位置ずれする現象を引き起こす計測マーク（例えば、位相シフトパターンから成るマーク等）を用い、種々の照明条件下で計測マークの像形成を行う実験やシミュレーションを繰り返し行った結果、同一のデフォーカス状態で同一の計測マークの像を形成しても照明条件が異なることにより位置ずれ量が異なる場合が多いことが判明した。また、照明条件によっては、上記の位置ずれする現象が生じたり、生じなかったりすることがあることも判明した。
【００１３】
本発明は、上記のような発明者等の新規知見に基づいてなされたもので、第１の観点からすると、投影光学系（ＰＬ）を介した計測マーク（ＦＴＰ1,1〜ＦＴＰ9,3）の像がそのデフォーカス量に応じて、前記投影光学系の光軸に直交する面内で位置ずれする現象を利用して、前記投影光学系の結像性能を計測する結像性能計測方法であって、第１の照明条件下で、前記投影光学系を介して前記投影光学系の光軸に直交する面内の少なくとも１つの評価位置に前記計測マークの第１の像を形成する第１工程と；前記第１の照明条件とは異なる第２の照明条件下で、前記投影光学系を介して前記少なくとも１つの評価位置に前記計測マークの第２の像を形成する第２工程と；前記投影光学系の光軸に直交する面内における前記第１の像の位置と前記第２の像の位置とに基づいて、前記投影光学系の結像性能を算出する第３工程と；を含む結像性能計測方法である。
【００１４】
これによれば、第１工程で、第１の照明条件下で、投影光学系を介して投影光学系の光軸に直交する面内の少なくとも１つの評価位置に計測マークの第１の像が形成される。また、第２工程で、第１の照明条件とは異なる第２の照明条件下で、投影光学系を介して前記少なくとも１つの評価位置に前記計測マークの第２の像が形成される。
【００１５】
ここで、第１の像、第２の像は、ともに同一のデフォーカス状態（デフォーカス量ΔＺ）で形成された場合を考える。また、計測マークの描画誤差は、像面上換算値でａであるとする。そして、第１の像の位置は、ｄ1だけ設計値に対して所定方向に位置ずれし、第２の像の位置は、ｄ2だけ設計値に対して前記所定方向に位置ずれしていたものとする。
【００１６】
この場合、第１の照明条件下、第２の照明条件下における、デフォーカス量を位置ずれ量に換算するための換算係数を、それぞれｋ1、ｋ2とすると、次式（１）、（２）が成立する。
【００１７】
ｄ1＝ａ＋ｋ1・ΔＺ                    ……（１）
ｄ2＝ａ＋ｋ2・ΔＺ                    ……（２）
式（１）、式（２）から、デフォーカス量ΔＺは、次式（３）で表わすことができる。
【００１８】
ΔＺ＝（ｄ1−ｄ2）／（ｋ1−ｋ2）      ……（３）
なお、ｋ2がほぼ０ならば、ｋ1−ｋ2≒ｋ1となるので、上記式（３）は、ΔＺ＝（ｄ1−ｄ2）／ｋ1と表すことができる。
【００１９】
そして、第３工程で、上記式（３）を利用して投影光学系の光軸に直交する面内における前記第１の像の位置と前記第２の像の位置とに基づいて、前記投影光学系の結像性能（上記のデフォーカス量ΔＺ又はこれに関連する結像性能）を算出する。従って、本発明によれば、描画誤差やシフター誤差などの影響を受けることなく、投影光学系の結像性能を高精度に求めることが可能になる。また、本発明では、マークそのものの描画誤差等を計測する必要は無いので、ＳＥＭなどを必ずしも用いる必要はなくなる。例えば、第１の像、第２の像がレジスト像などの転写像である場合には、重ね合わせ計測装置又は合わせずれ検査装置（Overlay Measurement Inspection Tool）とも呼ばれる測定装置や、露光装置のアライメント検出系などで第１の像、第２の像の位置を計測すれば良いし、第１の像、第２の像が空間像である場合には、空間像計測器を用いて第１の像、第２の像の位置を計測すれば良い。いずれにしても、ＳＥＭ等を用いて計測を行う場合に比べて計測時間の短縮が可能である。
【００２０】
この場合において、前記計測マークは、位相シフトマークであり、前記第２の照明条件は、前記第１の照明条件に比べてコヒーレンスファクタが大きい照明条件であることとすることができる。発明者等の実験の結果、例えば計測マークとして位相シフトマークを用いる場合に、コヒーレンスファクタ（σ値）が所定範囲内では、コヒーレンスファクタが小さい程、同一のデフォーカス状態であっても計測マークの像の位置ずれが大きくなること、及びコヒーレンスファクタが上記の所定範囲外となる、大σ照明条件下では、デフォーカスに起因する位置ずれ現象が殆ど生じない場合のあることが確認された。
【００２１】
本発明は、第２の観点からすると、照明系（ＩＬ）からの照明光により、マスクステージ（ＲＳＴ）上に載置されたマスク（Ｒ）を照明し、前記マスクに形成されたパターンを投影光学系（ＰＬ）を介して物体ステージ（ＷＳＴ）上に載置された物体（Ｗ）に転写する露光方法であって、本発明の結像性能計測方法を用いて前記投影光学系の結像性能を計測する工程と；前記結像性能の計測結果を考慮して前記照明系、マスクステージ、投影光学系及び前記物体ステージの少なくとも一部を調整しつつ、前記マスクに形成されたパターンを前記投影光学系を介して物体上に転写する工程と；を含む露光方法である。
【００２２】
これによれば、本発明の結像性能計測方法を用いて投影光学系の結像性能が高精度に計測され、該結像性能の計測結果を考慮して照明系、マスクが載置されるマスクステージ、投影光学系及び物体が載置される物体ステージの少なくとも一部を調整しつつ、マスクに形成されたパターンが投影光学系を介して物体上に転写される。従って、マスクに形成されたパターンを精度良く物体上に転写することが可能となる。
【発明を実施するための最良の形態】
【００２３】
以下、本発明の一実施形態を図１〜図８に基づいて説明する。図１には、本発明に係る結像性能計測方法の実施に好適なリソグラフィシステム３００の全体構成が概略的に示されている。
【００２４】
このリソグラフィシステム３００は、本発明に係る結像性能計測方法により結像性能が計測される投影光学系を有する露光装置１００、該露光装置１００にインラインにて接続されたコータ・デベロッパ（以下、「Ｃ／Ｄ」と略述する）１１０、該Ｃ／Ｄ１１０を介して露光装置１００にインラインにて接続された重ね合わせ計測装置１２０、管理サーバ１３０、ターミナルサーバ１４０及びホストコンピュータ１５０等を備えている。露光装置１００、Ｃ／Ｄ１１０、重ね合わせ計測装置１２０、管理サーバ１３０及びターミナルサーバ１４０は、ローカルエリアネットワーク（ＬＡＮ）１６０を介して相互に接続されている。また、ホストコンピュータ１５０は、ターミナルサーバ１４０を介してＬＡＮ１６０に接続されている。すなわち、ハードウェア構成上では、露光装置１００、Ｃ／Ｄ１１０、重ね合わせ計測装置１２０、管理サーバ１３０、ターミナルサーバ１４０及びホストコンピュータ１５０の相互間の通信経路が確保されている。
【００２５】
露光装置１００は、本実施形態では、ステップ・アンド・スキャン方式の投影露光装置（走査型露光装置）であるものとする。この露光装置１００の構成等については、後述する。なお、ＬＡＮ１６０には、不図示ではあるが、他の露光装置、Ｃ／Ｄ等が接続されている。
【００２６】
前記Ｃ／Ｄ１１０は、ウエハ上へのレジストの塗布及び露光後のウエハの現像を行う。本実施形態では、Ｃ／Ｄ１１０はインタフェース部１０５、１１５をそれぞれ介して露光装置１００、重ね合わせ計測装置１２０にインラインにて接続されている。
【００２７】
露光装置１００とＣ／Ｄ１１０とをインライン接続するインタフェース部１０５の内部には、ウエハを相互間で受け渡すための、受け渡し部（不図示）が設けられている。また、Ｃ／Ｄ１１０は、装置内にウエハの搬送系を持っており、塗布工程が行われる塗布部と現像工程が行われる現像部と受渡し部との間で、一定の手順で被処理ウエハを循環搬送している。また、露光装置１００も、装置内に搬送系を持っており、被処理ウエハに対する露光が行われるウエハステージと受渡し部との間で被処理ウエハを循環搬送することがなされている。Ｃ／Ｄ１１０の内部には、冷却部やベーク部や、被処理ウエハを一時的に保管しておくバッファ部も設けられている。
【００２８】
図１の配置からわかるように、Ｃ／Ｄ１１０は、露光装置１００と重ね合わせ計測装置１２０との間のウエハの通路をも兼ねている。
【００２９】
Ｃ／Ｄ１１０と重ね合わせ計測装置１２０とをインラインにて接続するインタフェース部１１５の内部には、ウエハを相互間で受け渡すための、受け渡し部が設けられている。
【００３０】
前記重ね合わせ計測装置１２０は、その制御部としてマイクロコンピュータ（不図示）を備え、該マイクロコンピュータが所定のプログラムに従って処理を行うことで、例えば、パイロットウエハ（又はテストウエハ）について重ね合わせ誤差測定を実行する。
【００３１】
すなわち、上記のパイロットウエハなどは、プロセスに従って所定の露光装置により露光が行われ、既に１層以上のパターンが形成された状態で、例えば露光装置１００に投入され、露光装置１００により実際にレチクルのパターン（このパターンには重ね合わせ計測マークが含まれる）が転写され、その後に前述のＣ／Ｄ１１０により現像などの処理が行われて、重ね合わせ計測装置１２０に送り込まれる。そして、その重ね合わせ計測装置１２０は、送り込まれたウエハ上に異なる層の露光の際に形成された、重ね合わせ計測マーク（例えば、Bar in Barマーク（又はBox in Boxマーク）の像（例えばレジスト像）同士、すなわち内側マーク（又は外側マーク）の像と外側マーク（又は内側マーク）の像との重ね合わせ誤差（相対位置誤差）を計測し、更に所定の演算を行って重ね合わせ誤差情報を算出する。すなわち、重ね合わせ計測装置１２０は、このようにして各パイロットウエハの重ね合わせ誤差情報を測定する。本実施形態では、この重ね合わせ計測装置１２０は、後述する計測用レチクルに形成されたBar in Barマーク（又はBox in Boxマーク）の内側マークと外側マークとの例えばレジスト像同士の位置誤差の計測にも用いられるようになっている。
【００３２】
重ね合わせ計測装置１２０が備えるマイクロコンピュータは、ＬＡＮ１６０を介して露光装置１００の後述する主制御装置との間で通信を行い、上述のような動作を行う。また、重ね合わせ計測装置１２０が備えるマイクロコンピュータは、ＬＡＮ１６０を介して、管理サーバ１３０との間で通信を行い、重ね合わせ誤差データ等の所定のデータの授受を行う。また、この重ね合わせ計測装置１２０が備えるマイクロコンピュータは、ＬＡＮ１６０及びターミナルサーバ１４０を介して、ホストコンピュータ１５０との間で通信を行う。
【００３３】
前記管理サーバ１３０は、大容量記憶装置を備えた中型コンピュータによって構成されている。
【００３４】
前記ターミナルサーバ１４０は、ＬＡＮ１６０における通信プロトコルとホストコンピュータ１５０の通信プロトコルとの相違を吸収するためのゲートウエイプロセッサとして構成される。このターミナルサーバ１４０の機能によって、ホストコンピュータ１５０と、ＬＡＮ１６０に接続された露光装置１００、Ｃ／Ｄ１１０及び重ね合わせ計測装置１２０との間の通信が可能となる。
【００３５】
前記ホストコンピュータ１５０は大型のコンピュータで構成され、本実施形態では、少なくともリソグラフィ工程を含むウエハ処理工程の統括制御を行っている。
【００３６】
図２には、露光装置１００の概略構成が示されている。この露光装置１００は、光源６及び照明光学系１２を含む照明系、マスクとしてのレチクルＲを保持するマスクステージとしてのレチクルステージＲＳＴ、投影光学系ＰＬ、物体としてのウエハＷが載置される物体ステージとしてのウエハステージＷＳＴ、オフアクシス方式のアライメント検出系ＡＳ、及びこれらの制御系等を備えている。また、上記各構成部分のうち、光源６及び制御系の一部以外の部分は、実際には、内部の温度、圧力等の環境条件がほぼ一定に維持された不図示の環境制御チャンバ（エンバイロンメンタル・チャンバ）内に収容されている。
【００３７】
前記光源６としては、ここでは、ＡｒＦエキシマレーザ（出力波長１９３ｎｍ）が用いられている。
【００３８】
前記光源６は、実際には、上記の環境制御チャンバ（すなわち露光装置１００の大部分を収容するチャンバ）が設置されたクリーンルームとは別のクリーン度の低いサービスルームに設置されており、そのチャンバに設けられた光透過窓２１７にビームマッチングユニット（ＢＭＵ）と呼ばれる光軸調整用光学系を少なくとも一部に含む不図示の送光光学系によって接続されている。光源６は、主制御装置２０からの制御情報ＴＳに基づいて、内部のコントローラにより、レーザ光ＬＢの発光のオン・オフ、レーザ光ＬＢの１パルスあたりのエネルギ、発振周波数（繰り返し周波数）、中心波長及びスペクトル半値幅などが制御されるようになっている。
【００３９】
前記照明光学系１２は、シリンダレンズ、ビームエキスパンダ及びズーム光学系（いずれも不図示）、並びにオプティカルインテグレータ（ホモジナイザ）２２２を含むビーム整形・照度均一化光学系２２０、照明系開口絞り板２２４、第１リレーレンズ２２８Ａ、第２リレーレンズ２２８Ｂ、固定レチクルブラインド２３０Ａ、可動レチクルブラインド２３０Ｂ、光路折り曲げ用のミラー２４０及びコンデンサレンズ２３２等を備えている。ここで、オプティカルインテグレータ２２２としては、フライアイレンズ、内面反射型インテグレータ（ロッドインテグレータ等）あるいは回折光学素子などを用いることができるが、本実施形態では、フライアイレンズが用いられているので、以下では、「フライアイレンズ２２２」とも記述する。
【００４０】
前記ビーム整形・照度均一化光学系２２０は、前述の光透過窓２１７が設けられた照明光学系１２の入射端部に位置し、光源６でパルス発光され、光透過窓２１７を介して入射したレーザビームＬＢの断面形状を、例えばシリンダレンズやビームエキスパンダを用いて整形する。そして、ビーム整形・照度均一化光学系２２０内部の射出端側に位置するフライアイレンズ２２２は、レチクルＲを均一な照度分布で照明するために、前記断面形状が整形されたレーザビームの入射により、その射出側焦点面（照明光学系１２の瞳面とほぼ一致）に多数の点光源（光源像）から成る面光源（２次光源）を形成する。この２次光源から射出されるレーザビームを以下においては、「照明光ＩＬ」と呼ぶものとする。
【００４１】
フライアイレンズ２２２の射出側焦点面の近傍に、円板状部材から成る照明系開口絞り板２２４が配置されている。この照明系開口絞り板２２４には、ほぼ等角度間隔で、例えば円形開口より成る開口絞り（通常絞り）、該通常絞りに比べて小さな円形開口より成りコヒーレンスファクタであるσ値を通常絞りに比べて小さく（例えば、σ値を０．５以下、例えば０．４に）するための開口絞り（第１の小σ絞り）、該第１の小σ絞りに比べて小さな円形開口より成りコヒーレンスファクタであるσ値を例えば０．３にするための開口絞り（第２の小σ絞り）、輪帯照明用の輪帯状の開口絞り（輪帯絞り）、及び変形光源法用に複数の開口を偏心させて配置して成る変形開口絞り（図２ではこのうちの２種類の開口絞りのみが図示されている）等が配置されている。なお、第１の小σ絞り、第２の小σ絞りの少なくとも一方を、虹彩絞りにしても良い。
【００４２】
この照明系開口絞り板２２４は、主制御装置２０からの制御信号ＭＬＣによって制御されるモータ等の駆動装置２４０によって回転駆動され、いずれかの開口絞りが照明光ＩＬの光路上に選択的に設定され、これにより瞳面における２次光源の形状や大きさ（照明光の光量分布）が、輪帯、小円形、大円形、あるいは四つ目等に制限される。なお、本実施形態では、開口絞り板２２４を用いて、照明光学系１２の瞳面上での照明光の光量分布（２次光源の形状や大きさ）、すなわちレチクルＲの照明条件を変更するものとしたが、オプティカルインテグレータ（フライアイレンズ）２２２の入射面上での照明光の強度分布あるいは照明光の入射角度範囲を可変として、前述の照明条件の変更に伴う光量損失を最小限に抑えることが好ましい。このために、開口絞り板２２４の代わりに、あるいはそれと組み合わせて、例えば照明光学系１２の光路上に交換して配置される複数の回折光学素子、照明光学系１２の光軸に沿って移動可能な少なくとも１つのプリズム（円錐プリズムや多面体プリズムなど）、及びズーム光学系の少なくとも１つを含む光学ユニットを光源６とオプティカルインテグレータ（フライアイレンズ）２２２との間に配置する構成を採用することとしても良い。
【００４３】
照明系開口絞り板２２４から出た照明光ＩＬの光路上に、固定レチクルブラインド２３０Ａ、可動レチクルブラインド２３０Ｂを介在させて第１リレーレンズ２２８Ａ及び第２リレーレンズ２２８Ｂから成るリレー光学系が配置されている。
【００４４】
固定レチクルブラインド２３０Ａは、レチクルＲのパターン面に対する共役面又はその近傍に配置され、レチクルＲ上でＸ軸方向（図１における紙面直交方向）に細長く伸びるスリット状の照明領域を規定する矩形開口が形成されている。また、この固定レチクルブラインド２３０Ａの近傍に走査方向（ここでは図１における紙面内左右方向であるＹ軸方向とする）及び非走査方向（図１における紙面直交方向であるＸ軸方向）にそれぞれ対応する方向の位置及び幅が可変の開口部を有する可動レチクルブラインド２３０Ｂが配置されている。走査露光の開始時及び終了時には、主制御装置２０の制御により、その可動レチクルブラインド２３０Ｂを介してレチクルＲ上の照明領域をさらに制限することによって、不要な部分の露光が防止されるようになっている。
【００４５】
リレー光学系を構成する第２リレーレンズ２２８Ｂ後方の照明光ＩＬの光路上には、当該第２リレーレンズ２２８Ｂを通過した照明光ＩＬをレチクルＲに向けて反射する折り曲げミラー２４０が配置され、このミラー２４０後方の照明光ＩＬの光路上にコンデンサレンズ２３２が配置されている。
【００４６】
このようにして構成された照明光学系１２の作用を簡単に説明すると、光源６からパルス発光されたレーザビームＬＢは、ビーム整形・照度均一化光学系２２０に入射し、ここで後方のフライアイレンズ２２に効率よく入射するようにその断面形状が整形された後、フライアイレンズ２２２に入射する。これにより、フライアイレンズ２２２の射出側焦点面に前述した２次光源が形成される。この２次光源から射出された照明光ＩＬは、照明系開口絞り板２２４上のいずれかの開口絞りを通過した後、第１リレーレンズ２２８Ａを経て固定レチクルブラインド２３０Ａの矩形の開口部及び可動レチクルブラインド２３０Ｂの開口を通過する。そして、この照明光ＩＬは、第２リレーレンズ２２８Ｂを通過してミラー２４０によって光路が垂直下方に折り曲げられた後、コンデンサレンズ２３２を経て、レチクルステージＲＳＴ上に保持されたレチクルＲ上における、前述スリット状の照明領域を均一な照度分布で照明する。
【００４７】
前記レチクルステージＲＳＴ上にはレチクルＲが、例えば真空吸着により固定されている。レチクルステージＲＳＴは、ここでは、リニアモータ等から成る不図示のレチクルステージ駆動部によって、投影光学系ＰＬの光軸ＡＸに垂直なＸＹ平面内で２次元的に（Ｘ軸方向及びこれに直交するＹ軸方向及びＸＹ平面に直交するＺ軸回りの回転方向（θｚ方向）に）微小駆動可能であるとともに、所定の走査方向（Ｙ軸方向）に指定された走査速度で駆動可能となっている。
【００４８】
レチクルステージＲＳＴのステージ移動面内の位置は、レチクルレーザ干渉計（以下、「レチクル干渉計」という）１６によって、移動鏡１５を介して、例えば０．５〜１ｎｍ程度の分解能で常時検出される。レチクル干渉計１６からのレチクルステージＲＳＴの位置情報（又は速度情報）は、主制御装置２０に送られ、主制御装置２０ではその位置情報（又は速度情報）に基づいてレチクルステージ駆動部（図示省略）を介してレチクルステージＲＳＴの移動を制御する。
【００４９】
前記投影光学系ＰＬは、レチクルステージＲＳＴの図２における下方に配置され、その光軸ＡＸの方向がＺ軸方向とされている。投影光学系ＰＬは、例えば、両側テレセントリックな縮小系であり、共通のＺ軸方向の光軸ＡＸを有する不図示の複数のレンズエレメントから構成されている。また、この投影光学系ＰＬとしては、投影倍率βが例えば１／４、１／５、１／６などのものが使用されている。このため、上述のようにして、照明光（露光光）ＩＬによりレチクルＲ上の照明領域が照明されると、そのレチクルＲに形成されたパターンが投影光学系ＰＬによって投影倍率βで縮小された像（部分縮小像）が、表面にレジスト（感光剤）が塗布されたウエハＷ上のスリット状の露光領域に投影され転写される。
【００５０】
なお、本実施形態では、上記の複数のレンズエレメントのうち、特定のレンズエレメント（例えば、所定の５つのレンズエレメント）がそれぞれ独立に移動可能となっている。かかる特定のレンズエレメントの移動は、特定のレンズエレメント毎に設けられた３個のピエゾ素子等の駆動素子によって行われる。すなわち、これらの駆動素子を個別に駆動することにより、特定のレンズエレメントを、それぞれ独立に、各駆動素子の変位量に応じて光軸ＡＸに沿って平行移動させることもできるし、光軸ＡＸと垂直な平面に対して所望の傾斜を与えることもできるようになっている。本実施形態では、主制御装置２０からの指令ＭＣＤに基づいて、結像性能補正コントローラ２５１により各駆動素子が駆動されることで、投影光学系ＰＬのディストーション、像面湾曲、非点収差、コマ収差、又は球面収差等の諸収差（光学特性の一種）が調整されるようになっている。
【００５１】
前記ウエハステージＷＳＴは、投影光学系ＰＬの図２における下方で、不図示のベース上に配置され、その上面にウエハホルダ２５が載置されている。このウエハホルダ２５上にウエハＷが例えば真空吸着等によって固定されている。
【００５２】
ウエハステージＷＳＴは、モータ等を含むウエハステージ駆動部２４により走査方向（Ｙ軸方向）及び走査方向に垂直な非走査方向（Ｘ軸方向）に駆動される。そして、このウエハステージＷＳＴによって、ウエハＷ上の各ショット領域を走査（スキャン）露光するためにウエハＷをレチクルＲに対して相対走査する動作と、次のショットの露光のための走査開始位置（加速開始位置）まで移動する動作とを繰り返すステップ・アンド・スキャン動作が実行される。
【００５３】
ウエハステージＷＳＴのＸＹ平面内での位置は、ウエハレーザ干渉計（以下、「ウエハ干渉計」という）１８によって、移動鏡１７を介して、例えば０．５〜１ｎｍ程度の分解能で常時検出されている。ウエハステージＷＳＴの位置情報（又は速度情報）は、主制御装置２０に送られ、主制御装置２０ではその位置情報（又は速度情報）に基づきウエハステージ駆動部２４を介してウエハステージＷＳＴの駆動制御を行う。
【００５４】
また、ウエハステージＷＳＴは、ウエハステージ駆動部２４によりＺ軸方向、θｘ方向（Ｘ軸回りの回転方向：ピッチング方向）、θｙ方向（Ｙ軸回りの回転方向：ローリング方向）及びθｚ方向（Ｚ軸回りの回転方向：ヨーイング方向）にも微小駆動される。
【００５５】
なお、ウエハステージＷＳＴ上には、後述するレチクルアライメント用の複数対の第１基準マーク、後述するアライメント検出系ＡＳのベースライン計測用の基準マーク等が形成された基準マーク板ＦＭが、その表面がほぼウエハＷの表面と同一高さとなるように固定されている。
【００５６】
前記アライメント検出系ＡＳは、投影光学系ＰＬの側面に配置されている。本実施形態では、このアライメント系ＡＳとして、画像処理方式のアライメントセンサ、いわゆるＦＩＡ（Field Image Alignment）系が用いられている。このアライメント系ＡＳの詳細な構成は、例えば、特開平９−２１９３５４号公報に開示されている。このアライメント系ＡＳの検出信号は、主制御装置２０に供給されるようになっている。
【００５７】
また、本実施形態の露光装置１００では、図示は省略されているが、レチクルＲの上方に、投影光学系ＰＬを介してレチクルＲ上の一対のレチクルマークと対応する基準マーク板ＦＭ上の一対の第１基準マークとを同時に観察するための露光波長の光を用いたＴＴＲ（Through The Reticle）アライメント系から成る一対のレチクルアライメント系が設けられている。これらのレチクルアライメント系としては、例えば特開平７−１７６４６８号公報（対応する米国特許第５，６４６，４１３号）などに開示されるものと同様の構成のものが用いられる。
【００５８】
更に、図２の装置には、ウエハＷ表面の露光領域内部及びその近傍の領域のＺ軸方向（光軸ＡＸ方向）の位置を検出するための斜入射方式のフォーカス検出系（焦点検出系）の一つである、多点フォーカス位置検出系（２１，２２）が設けられている。この多点フォーカス位置検出系（２１，２２）の詳細な構成等については、例えば、特開平６−２８３４０３号公報に開示されている。多点フォーカス位置検出系（２１，２２）による検出結果は、主制御装置２０に供給される。
【００５９】
前記制御系は、ワークステーション（又はマイクロコンピュータ）から成る主制御装置２０を中心として構成されている。主制御装置２０は、装置の構成各部を統括して制御する。主制御装置２０は、前述したＬＡＮ１６０に接続されている。
【００６０】
次に、前記投影光学系ＰＬの結像性能の計測に用いられる計測用レチクルＲＴについて図３等に基づいて、説明する。
【００６１】
図３には、計測用レチクルＲＴを下面側から見た図が示されている。この図３に示されるように、計測用レチクルＲＴには遮光帯ＳＢで区画されたパターン領域ＰＡが形成され、該パターン領域ＰＡの内部には、Bar in Barマークから成る複数、ここでは２７個のフォーカステストマークＦＴＰ1,1、ＦＴＰ1,2、ＦＴＰ1,3、……ＦＴＰ9,3が、９行３列のマトリクス状の配置で形成されている。この場合、パターン領域ＰＡ内部の走査方向（Ｙ軸方向）の中央部には、前述の固定レチクルブラインド２３０Ａで規定される照明領域（二点鎖線で示される領域）とほぼ同じ領域内に、上記９行３列のマトリクスのうちの３行３列分のフォーカステストマークＦＴＰ4,1、ＦＴＰ4,2、ＦＴＰ4,3、……ＦＴＰ6,3が存在する。
【００６２】
なお、投影光学系ＰＬの結像性能の計測に用いられる計測用レチクルには、多数、例えば６０〜２００個程度のフォーカステストマークが、投影光学系ＰＬの視野内の有効領域（上記２点鎖線で示される領域）内に所定の配置で形成されており、フォーカステストマークの個数や配置は特に問わないが、本実施形態では、説明の複雑化を避けるために、図３のような計測用レチクルＲＴを用いるものとしているのである。
【００６３】
各フォーカステストマークＦＴＰi,j（ｉ＝１，２，……，９、ｊ＝１，２，３）は、フォーカステストマークＦＴＰ1,1について代表的に示されるように、計測マークとしての内側マークＭＭＡと、基準マークとしての外側マークＭＭＢとを有する。
【００６４】
前記内側マークＭＭＡは、フォーカステストマークＦＴＰi,jを取り出して拡大して示す図４（Ａ）から分かるように、Ｙ軸方向に所定距離離れて平行に配置されたＸ軸方向を長手方向とする一対のラインパターンとしての第１計測マーク要素ＭＡ１及び第３計測マーク要素ＭＡ３と、Ｘ軸方向に所定距離離れて平行に配置されたＹ軸方向を長手方向とする一対のラインパターンとしての第２計測マーク要素ＭＡ２及び第４計測マーク要素ＭＡ４との４本のラインパターンを含み、全体として４つのコーナー部分が欠落したほぼ正方形の矩形マーク（Ｂｏｘマーク）のような形状を有している。
【００６５】
前記外側マークＭＭＢは、全体として４つのコーナー部分が欠落したほぼ正方形の矩形マーク（Ｂｏｘマーク）のような形状を有し、内側マークＭＭＡとほぼ相似で一回り大きなマークである。外側マークＭＭＢは、Ｘ軸方向を長手方向とする一対の基準マーク要素である第１基準マーク要素ＭＢ１及び第３基準マーク要素ＭＢ３と、Ｙ軸方向を長手方向とする一対の基準マーク要素である第２基準マーク要素ＭＢ２及び第４基準マーク要素ＭＢ４とを備えている。この外側マークＭＭＢと内側マークＭＭＡの中心とはほぼ一致するような位置関係とされている。
【００６６】
内側マークＭＭＡ及び外側マークＭＭＢの近傍には、図４（Ａ）に示されるように、通過する光の位相を９０°ずらす位相シフト部ＰＳ１〜ＰＳ４がそれぞれ形成されている。位相シフト部ＰＳ１〜ＰＳ４のそれぞれは、計測レチクルＲＴの位相シフト部（ＰＳ１〜ＰＳ４）近傍を断面して示す図４（Ｂ）からわかるように、その表面が他の部分よりも一段掘り下げられた状態に加工・形成されている。
【００６７】
前記４つの位相シフト部のうち、位相シフト部ＰＳ１は、図４（Ａ）に示されるように、平面視（下方から見て）概略直角二等辺三角形状の形状を有し、その直角を挟む２辺が、前述の第１計測マーク要素ＭＡ１、第２計測マーク要素ＭＡ２に接している。
【００６８】
また、位相シフト部ＰＳ２は、長方形状の形状を有し、その長手方向の一辺がその両端部の一部を除き、前述の第１基準マーク要素ＭＢ１に接している。また、位相シフト部ＰＳ３は、長方形状の形状を有し、その長手方向の一辺が、その両端部の一部を除き、前述の第２基準マーク要素ＭＢ２に接している。
【００６９】
さらに、残りの位相シフト部ＰＳ４は、概略Ｌ字状の形状を有し、前述の第３計測マーク要素ＭＡ３、第３基準マーク要素ＭＢ３、第４計測マーク要素ＭＡ４及び第４基準マーク要素ＭＢ４それぞれに接している。
【００７０】
このようにして構成されたフォーカステストマークＦＴＰi,jでは、相互に対応する計測マーク要素と基準マーク要素（すなわち第１計測マーク要素ＭＡ１と第１基準マーク要素ＭＢ１、第２計測マーク要素ＭＡ２と第２基準マーク要素ＭＢ２、第３計測マーク要素ＭＡ３と第３基準マーク要素ＭＢ３、第４計測マーク要素ＭＡ４と第４基準マーク要素ＭＢ４）では、位相シフト部が互いに反対側に設けられている。例えば、第１計測マーク要素ＭＡ１では、その＋Ｙ側に位相シフト部ＰＳ１が設けられ、第１基準マーク要素ＭＢ１では、その−Ｙ側に位相シフト部ＰＳ２が設けられている。
【００７１】
従って、本実施形態では、計測用レチクルＲＴを用いて、フォーカス状態で露光を行った場合には、照明条件によらず、図５（Ａ）に示されるような、フォーカステストマークＦＴＰi,jの各マーク要素の縮小像ＭＡ１’〜ＭＡ４’、ＭＢ１’〜ＭＢ４’が、投影光学系ＰＬの像面側のＸＹ面（例えばウエハ面）上に形成されるのに対し、計測用レチクルＲＴを用いて、デフォーカス状態で露光を行った場合には、例えば小σ照明条件（コヒーレンスファクタ（σ値）が０．５以下の照明条件）下では、一例として図５（Ｂ）に示されるように、フォーカステストマークＦＴＰ１１の各計測マーク要素の像（ＭＡ１’〜ＭＡ４’）と対応する各基準マーク要素の像（ＭＢ１’〜ＭＢ４’）とが図中の矢印で示されるように、図５（Ａ）の状態からほぼ同一距離だけ相互に離れる方向に位置ずれして投影光学系ＰＬの像面側のＸＹ面（例えばウエハ面）上に形成される。
【００７２】
図３に戻り、計測用レチクルＲＴのパターン領域ＰＡの中心（ここではレチクルセンタに一致するものとする）を通るＸ軸上のパターン領域ＰＡの両外側には、レチクルアライメントマークＲＭ１、ＲＭ２が形成されている。レチクルアライメントマークＲＭ１を中心としてＹ軸方向の一側と他側に同一距離だけ離れて、レチクルアライメントマークＲＭ３、ＲＭ５がそれぞれ形成されている。また、レチクルアライメントマークＲＭ２を中心としてＹ軸方向の一側と他側に同一距離だけ離れて、レチクルアライメントマークＲＭ４、ＲＭ６がそれぞれ形成されている。レチクルアライメントマークＲＭ３とＲＭ４、ＲＭ５とＲＭ６はレチクルセンタを通るＹ軸に関して対称の配置となっている。この計測用レチクルＲＴは、レチクルステージＲＳＴ上にロードされた状態では、パターン面（図３における紙面手前側の面）が、投影光学系ＰＬに対向する側の面となる。
【００７３】
ところで、本発明者等の実験及びシミュレーションの結果、計測用レチクルＲＴのような位相シフトレチクルの場合、コヒーレンスファクタ（σ値）が０．５以下の照明条件では、σ値が小さいほど、同一のデフォーカス量であっても、上記の位置ずれ量が大きくなること、すなわち、デフォーカス量（ΔＺ）を横ずれ量に換算するための換算係数ｋの値が大きくなることが確認された。本実施形態では、前述の照明系開口絞り板２２４の第１の小σ絞りを用いた第１の照明条件下における換算係数ｋ1と、第２の小σ絞りを用いた第２の照明条件下における換算係数ｋ2とが、予め実験等で求められているものとする。また、これらの換算係数ｋ1、ｋ2は、露光装置１００の主制御装置２０のメモリ内は勿論、ホストコンピュータ１５０のメモリ内にも記憶されているものとする。
【００７４】
次に、本実施形態のリソグラフィシステム３００で行われる、露光装置１００の投影光学系ＰＬの結像性能の計測方法について、図６のフローチャートに沿ってかつ適宜他の図面を参照しつつ説明する。図６は、ホストコンピュータ１５０の処理アルゴリズムを示すフローチャートである。なお、ホストコンピュータ１５０と露光装置１００、Ｃ／Ｄ１１０、あるいは重ね合わせ計測装置１２０との通信はターミナルサーバ１４０及びＬＡＮ１６０を介して行われ、露光装置１００、Ｃ／Ｄ１１０及び重ね合わせ計測装置１２０相互間の通信は、ＬＡＮ１６０を介して行われるが、以下ではターミナルサーバ１４０やＬＡＮ１６０についての記載は省略するものとする。
【００７５】
まず、図６のステップ３０２において、ホストコンピュータ１５０は、露光装置１００の主制御装置２０に対し第１の照明条件（例えば、コヒーレンスファクタσ値が０．４となる照明条件とする）の下でのテスト露光を指示する。
【００７６】
次のステップ３０４では、ホストコンピュータ１５０は、上記の指示に応じて露光装置１００で露光が行われ、その露光済みのウエハのＣ／Ｄ１１０への搬送が終了するのを待つ。
【００７７】
一方、露光装置１００の主制御装置２０は、上記ステップ３０２での指示に応じて、次のような処理を行う。
【００７８】
すなわち、まず、図７のステップ４０２において、不図示のレチクルローダを介してレチクルステージＲＳＴ上に計測用レチクルＲＴをロードする。
【００７９】
次いで、ステップ４０３において、レチクルアライメント及びブラインド調整などの所定の準備動作を行う。具体的には、まず、ウエハステージＷＳＴ上に設けられた基準マーク板ＦＭの表面に形成されている特定の一対の第１基準マークの中心が投影光学系ＰＬの光軸ＡＸとほぼ一致する基準位置にウエハステージＷＳＴを移動させるとともに、レチクルＲＴ上の一対のレチクルアライメントマークＲＭ１、ＲＭ２の中心（レチクルセンタ）が投影光学系ＰＬの光軸とほぼ一致する基準位置にレチクルステージＲＳＴを移動させる。ここで、ウエハステージＷＳＴの移動は、主制御装置２０が、ウエハ干渉計１８の計測値をモニタしつつ、ウエハステージ駆動部２４を制御することで行われ、レチクルステージＲＳＴの移動は、主制御装置２０が、レチクル干渉計１６の計測値をモニタしつつ不図示のレチクルステージ駆動部を制御することで行われる。以下においても同様である。
【００８０】
次いで、前述の一対のレチクルアライメント系を用いて計測用レチクルＲＴ上のレチクルアライメントマークＲＭ１、ＲＭ２とこれらに個別に対応する基準マーク板ＦＭ上の特定の一対の第１基準マークの投影光学系を介した像との位置誤差を検出し、その位置誤差が同時に最小になるように、レチクルステージＲＳＴをＸＹ面内で微小駆動する。すなわち、ステッパなどの静止型露光装置と同様のレチクルアライメントを行う。
【００８１】
また、このとき、固定レチクルブラインド２３０Ａによって規定される計測用レチクルＲＴ上の照明光ＩＬの照射領域（照明領域）の非走査方向の幅が、パターン領域ＰＡより広い場合には、可動レチクルブラインド２３０Ｂの非走査方向の開口幅を調整する。これによって、非走査方向の長さがパターン領域ＰＡに一致し、走査方向の幅が固定レチクルブラインド２３０Ａによって規定される最大幅となる長方形状の照明領域が計測用レチクルＲＴ上に設定されるようになる。
【００８２】
次のステップ４０４では、指示された照明条件、ここでは第１の照明条件、すなわちコヒーレンスファクタσ値が０．４となる照明条件を設定すべく、照明系開口絞り板２２４を回転し、第１の小σ絞りを光路上に配置する。
【００８３】
次のステップ４０６では、不図示のウエハローダを介して、ウエハステージＷＳＴ上に計測用のウエハ（以下、便宜上「第１ウエハ」と呼ぶ）をロードする。ここで、この第１ウエハは前述のＣ／Ｄ１１０内にあるレジスト塗布済みのウエハであっても良いし、不図示のバッファ内にあるレジスト塗布済みのウエハであっても良い。
【００８４】
次のステップ４０８では、第１ウエハに対する第ｎ回目（ｎショット目）の露光であることを示す不図示のカウンタのカウント値ｎを「１」に初期化する（ｎ←１）。
【００８５】
次のステップ４１０では、露光対象のウエハ（ここでは第１ウエハ）上の転写像の形成が予定されている、第ｎ番目（ここでは第１番目）の領域（以下、便宜上「ショット形成領域」と呼ぶ）を露光位置、すなわち投影光学系ＰＬの直下に位置決めすべく、ウエハステージＷＳＴを移動する。
【００８６】
次のステップ４１２では、光源６に制御情報ＴＳを与えてレーザ光ＬＢを発光させ、照明光ＩＬによって計測用レチクルＲＴを照明して、静止露光を行う。これにより、パターン領域ＰＡ内の９個のフォーカステストマークＦＴＰ4,1、ＦＴＰ4,2……、ＦＴＰ6,3が投影光学系ＰＬを介して第１ウエハ上の第ｎ番目（ここでは第１番目）のショット形成領域に縮小転写される。
【００８７】
次のステップ４１４では、前述のカウンタのカウント値ｎを参照し、ｎ＝Ｎか否か、すなわち予定されているＮ個のパターン領域ＰＡの転写像を第１ウエハ上に形成するための露光が終了したか否かを判断する。ここでは、ｎ＝１、すなわちパターン領域ＰＡの転写像が１つだけ第１ウエハ上に形成されただけであるから、ステップ４１４での判断は否定され、ステップ４１６に移行し、前述のカウンタのカウント値ｎを１インクリメントして（ｎ←ｎ＋１）、ステップ４１０に戻る。
【００８８】
以降、ステップ４１４での判断が肯定されるまで、ステップ４１０→４１２→４１４→４１６のループの処理（判断を含む）を繰り返す。これにより、第１ウエハ上の第２番目〜第Ｎ番目のショット形成領域に対する露光がそれぞれ行われ、それらのショット形成領域にパターン領域ＰＡ内の９個のフォーカステストマークＦＴＰ4,1、ＦＴＰ4,2……、ＦＴＰ6,3の転写像が順次形成される。
【００８９】
このようにして、第１ウエハ上の第Ｎ番目のショット形成領域に９個のフォーカステストマークＦＴＰ4,1、ＦＴＰ4,2……、ＦＴＰ6,3の転写像が形成されると、ステップ４１４における判断が肯定され、ステップ４１８に移行する。
【００９０】
ステップ４１８では、露光処理済みのウエハ（ここでは第１ウエハ）を、インタフェース部１０５を介してＣ／Ｄ１１０に搬送した後、ステップ４２０に進んで、その露光処理済みのウエハ（ここでは第１ウエハ）のＣ／Ｄ１１０への搬送が終了した旨をホストコンピュータ１５０に通知した後、ここでの処理を終了する。
【００９１】
露光装置１００側で、上述のような処理が行われている間、ホストコンピュータ１５０は、図６のステップ３０４の待ち状態にあったが、上記ステップ４２０における通知により、ステップ３０６に移行し、Ｃ／Ｄ１１０に露光処理済みのウエハ（ここでは第１ウエハ）の現像を指示する。これにより、Ｃ／Ｄ１１０によってそのウエハ（ここでは第１ウエハ）の現像が開始される。
【００９２】
次のステップ３０８で、ホストコンピュータ１５０は、露光装置１００の主制御装置２０に対し第２の照明条件（例えば、コヒーレンスファクタσ値が０．３となる照明条件とする）の下でのテスト露光を指示する。この指示に応じ、露光装置１００の主制御装置２０におり、図７のフローチャートと同様の処理が開始される。但し、この場合、計測用レチクルＲＴのロード及びレチクルアライメント等の準備動作は既に行われているので、ステップ４０４と同様の照明開口絞り板の設定から処理が開始される。また、この場合、照明開口絞り板の設定に際して、指示された第２の照明条件、すなわちコヒーレンスファクタσ値が０．３となる照明条件を設定すべく、照明系開口絞り板２２４が回転され、第２の小σ絞りが光路上に配置される。その後は、前述のステップ４０６〜４２０の処理と同様の処理が行われる。
【００９３】
一方、ホストコンピュータ１５０は、上記ステップ３０８の指示を行った後、ステップ３１０に進み、上記の露光装置１００側の第２の照明条件の下でのテスト露光と並行してＣ／Ｄ１１０で行われている、前述の第１の照明条件下でのテスト露光が行われたウエハ（第１ウエハ）の現像が終了するのを待つ。所定時間後、Ｃ／Ｄ１１０側でその第１ウエハの現像が終了し、その第１ウエハ上には、９個のフォーカステストマークＦＴＰ4,1、ＦＴＰ4,2……、ＦＴＰ6,3のレジスト像が形成されたＮ個の領域が形成され、このレジスト像が形成された第１ウエハが投影光学系ＰＬの結像性能を計測するための第１の試料となる。
【００９４】
上記の現像終了後、Ｃ／Ｄ１１０からの現像終了の通知を受けると、ホストコンピュータ１５０は、ステップ３１２に進んで、Ｃ／Ｄ１１０に対し、その露光処理済みのウエハ（第１ウエハ）の重ね合わせ計測装置１２０への搬送を指示するとともに、重ね合わせ計測装置１２０に対し、その露光処理済みのウエハ（第１ウエハ）の計測を指示する。この指示に応じ、重ね合わせ計測装置１２０において、その露光処理済みのウエハ（第１ウエハ）上のＮ個の領域内部の９個のフォーカステストマークＦＴＰ4,1、ＦＴＰ4,2……、ＦＴＰ6,3のレジスト像の計測、すなわちＮ×９個のフォーカステストマークそれぞれのレジスト像について、外側マークＭＭＢの像ＭＭＢ’の中心位置と内側マークＭＭＡの像ＭＭＡ’の中心位置とのＸＹ面内での位置ずれ量（n（ｄｘ1）i,j、n（ｄｙ1）i,j）（但し、ｎ＝１〜Ｎ、ｉ＝４〜６、ｊ＝１〜３）の計測が行われる。
【００９５】
ホストコンピュータ１５０は、上記のステップ３１２の指示を行った後、次のステップ３１４に移行し、前述のステップ３０８の指示に応じて露光装置１００で露光が行われ、その露光済みのウエハ（便宜上、「第２ウエハ」とする）のＣ／Ｄ１１０への搬送が終了するのを待つ。
【００９６】
そして、露光装置１００の主制御装置２０からその露光処理済みのウエハ（ここでは第２ウエハ）のＣ／Ｄ１１０への搬送が終了した旨の通知を受け取ると、ホストコンピュータ１５０は、次のステップ３１６でＣ／Ｄ１１０に露光処理済みのウエハ（ここでは第２ウエハ）の現像を指示する。これにより、Ｃ／Ｄ１１０によってそのウエハ（ここでは第２ウエハ）の現像が開始される。
【００９７】
ホストコンピュータ１５０は、上記ステップ３１６の指示を行った後、ステップ３１８で、Ｃ／Ｄ１１０で行われている、前述の第２の照明条件下でのテスト露光が行われたウエハ（第２ウエハ）の現像が終了するのを待つ。所定時間後、Ｃ／Ｄ１１０側でその第２ウエハの現像が終了する。これにより、その第２ウエハ上には、９個のフォーカステストマークＦＴＰ4,1、ＦＴＰ4,2……、ＦＴＰ6,3のレジスト像が形成されたＮ個の領域が形成され、このレジスト像が形成された第２ウエハが投影光学系ＰＬの結像性能を計測するための第２の試料となる。
【００９８】
そして、Ｃ／Ｄ１１０からの現像終了の通知を受けると、ホストコンピュータ１５０は、ステップ３１８の待ち状態を終了し、ステップ３２０に進んで、Ｃ／Ｄ１１０に対し、その露光処理済みのウエハ（第２ウエハ）の重ね合わせ計測装置１２０への搬送を指示するとともに、重ね合わせ計測装置１２０に対し、その露光処理済みのウエハ（第２ウエハ）の計測を指示する。この指示に応じ、重ね合わせ計測装置１２０において、その露光処理済みのウエハ（第２ウエハ）上のＮ個の領域内部の９個のフォーカステストマークＦＴＰ4,1、ＦＴＰ4,2……、ＦＴＰ6,3のレジスト像の計測、すなわちＮ×９個のフォーカステストマークそれぞれのレジスト像について、外側マークＭＭＢの像ＭＭＢ’の中心位置と内側マークＭＭＡの像ＭＭＡ’の中心位置とのＸＹ面内での位置ずれ量（n（ｄｘ2）i,j、n（ｄｙ2）i,j）（但し、ｎ＝１〜Ｎ、ｉ＝４〜６、ｊ＝１〜３）の計測が行われる。
【００９９】
ホストコンピュータ１５０は、上記のステップ３２０の指示を行った後、次のステップ３２２で重ね合わせ計測装置１２０側で計測が終了するのを待つ。
【０１００】
そして、全ての計測が終了し、重ね合わせ計測装置１２０から計測終了の通知を受け取ると、ホストコンピュータ１５０では、ステップ３２４に進み、重ね合わせ計測装置１２０から全ての計測結果を受け取り、次のような手順で、投影光学系ＰＬの最良結像面（結像性能の一種）を算出する。
【０１０１】
すなわち、ホストコンピュータ１５０では、まず、次の式（４）〜式（７）に基づいて、第１の照明条件下での各フォーカステストマークＦＴＰi,jの像の外側マークＭＭＢの像ＭＭＢ’の中心位置と内側マークＭＭＡの像ＭＭＡ’の中心位置とのＸ軸方向、Ｙ軸方向に関する位置ずれ量の、Ｎショットの平均値（ｄｘ１）i,j及び（ｄｙ１）i,j、並びに第２の照明条件下での各フォーカステストマークＦＴＰi,jの像の外側マークＭＭＢの像ＭＭＢ’の中心位置と内側マークＭＭＡの像ＭＭＡ’の中心位置とのＸ軸方向、Ｙ軸方向に関する位置ずれ量の、Ｎショットの平均値（ｄｘ２）i,j及び（ｄｙ２）i,jを、それぞれ算出する。
【０１０２】
【数１】
2006080299.tif 000003
【０１０３】
次に、ホストコンピュータ１５０では、次式（８）、（９）に基づいて、各フォーカステストマークＦＴＰi,jの像のＸ軸方向、Ｙ軸方向に関する位置情報、すなわち外側マークＭＭＢの像ＭＭＢ’の中心位置と内側マークＭＭＡの像ＭＭＡ’の中心位置とのＸ軸方向、Ｙ軸方向に関する位置ずれ量から、デフォーカス量（ΔＺx）i,j、（ΔＺy）i,jをそれぞれ算出する。
【０１０４】
【数２】
2006080299.tif 000004
【０１０５】
次いで、ホストコンピュータ１５０では、次式（１０）に基づいて、各フォーカステストマークＦＴＰi,jに個別に対応する投影光学系ＰＬの視野内の評価点それぞれにおける、デフォーカス量ΔＺi,jを算出する。
ΔＺi,j＝｛（ΔＺx）i,j＋（ΔＺy）i,j｝／２      ……（１０）
【０１０６】
次いで、ホストコンピュータ１５０では、投影光学系ＰＬの視野内の９点のデフォーカス量ΔＺi,jに基づき、最小二乗演算により投影光学系ＰＬのスタティック・フィールドに対応する像面を算出する。
【０１０７】
そして、ホストコンピュータ１５０では、次のステップ３２６で、算出した投影光学系ＰＬの結像性能（ここでは、像面）の情報（途中の算出結果をも含めて）を、露光装置１００の主制御装置２０に転送した後、一連の処理を終了する。
【０１０８】
その後、露光装置１００では、デバイスパターンの転写の際には、レチクルアライメント及びアライメント検出系ＡＳのベースライン計測などの準備作業の後、ステップ・アンド・スキャン方式で、レチクルＲ上に形成されたデバイスパターンが投影光学系ＰＬを介してウエハＷ上の複数のショット領域にそれぞれ転写される。なお、このような一連の動作は、通常のスキャナと同様であるから、詳細説明については省略する。
【０１０９】
但し、露光装置１００の主制御装置２０は、上述のようにしてホストコンピュータ１５０から転送され、メモリに記憶しておいた、投影光学系ＰＬの結像性能（ここでは、像面）の情報（途中の算出結果をも含めて）の情報に基づいて、所定の演算プログラムに従って計算を行い、この計算結果に基づいて結像性能補正コントローラ２５１を介して投影光学系ＰＬを構成するレンズの少なくとも１つを駆動して、投影光学系ＰＬの結像性能（例えば像面湾曲又は像面傾斜）を調整する。また、走査露光時には、必要に応じて上記の結像性能補正コントローラ２５１の調整結果を考慮して、多点フォーカス位置検出系（２１，２２）の各フォーカスセンサの目標値（オフセット）を調整することで、ウエハステージＷＳＴのＺ軸方向の位置、及びθｙ方向の回転などを微調整する。このような調整により、露光装置１００によるパターンの転写特性が要求される仕様を満足するレベルに調整される。例えば、投影光学系ＰＬのスタティック・フィールドの全域において、ウエハＷの表面が投影光学系ＰＬの焦点深度の範囲内に合致するようなウエハＷのフォーカス・レベリング制御が行われる。
【０１１０】
以上詳細に説明したように、本実施形態のリソグラフィシステム３００では、ホストコンピュータ１５０によって、前述の図６のフローチャートに沿った処理が行われ、この際に、露光装置１００、Ｃ／Ｄ１１０、及び重ね合わせ計測装置１２０が、それぞれホストコンピュータ１５０の指示に応じた処理を行うことで、第１の照明条件（σ値０．４）下での計測用レチクルＲＴのフォーカステストマークＦＴＰi,j（ｉ＝４〜６、ｊ＝１〜３）の第１ウエハ上の複数の領域への転写、第２の照明条件（σ値０．３）下での計測用レチクルＲＴのフォーカステストマークＦＴＰi,j（ｉ＝４〜６、ｊ＝１〜３）の第２ウエハ上の複数領域への転写、第１ウエハ及び第２ウエハの現像、及び現像後に形成された第１ウエハ及び第２ウエハ上のレジスト像の計測、並びにその計測結果に基づく、投影光学系ＰＬの結像性能の算出の各処理が実行される。このとき、ホストコンピュータ１５０では、重ね合わせ計測装置１２０から全ての計測結果を受け取り、前述の式（４）〜式（１０）に基づいて、投影光学系ＰＬの結像性能の一種である像面を算出する。
【０１１１】
ここで前述の式（８）、（９）と前述の式（３）とを比べるとわかるように、両者は同様の式である。すなわち、式（８）、（９）においても、右辺の分子において、第１の照明条件下での前述の位置ずれ量の平均値と、対応する第２の照明条件下での位置ずれ量の平均値との差をとっているので、結果的にデフォーカス量（ΔＺx）i,j、（ΔＺy）i,jは、フォーカステストマークの描画誤差やシフター誤差などが相殺された値となっている。従って、これらの平均値であるデフォーカス量ΔＺi,jは、フォーカステストマークの描画誤差やシフター誤差などの影響を受けることがない、高精度なデフォーカス量の計測値となっている。
【０１１２】
そして、上記のデフォーカス量ΔＺi,j（ｉ＝４〜６、ｊ＝１〜３）に基づいて、最小二乗演算により投影光学系ＰＬのスタティック・フィールドに対応する像面を算出する（上記ステップ３２４参照）。
【０１１３】
従って、本実施形態によると、描画誤差やシフター誤差などの影響を受けることなく、投影光学系ＰＬのスタティック・フィールドに対応する像面（結像性能の一種）を高精度に求めることが可能となる。
【０１１４】
また、本実施形態では、ＳＥＭなどに比べて簡易な計測装置である重ね合わせ計測装置１２０を用いて、前述の第１ウエハ、第２ウエハ上に形成されたレジスト像の位置情報の計測を行う。すなわち、計測用レチクルＲＴ上のマークそのものの描画誤差等を計測しないので、ＳＥＭ等を用いる必要がなく、ＳＥＭ等を用いる場合に比べて計測時間の短縮が可能である。
【０１１５】
また、本実施形態では、基準マーク、すなわち外側マークＭＭＢとして、その投影光学系ＰＬによる像ＭＭＢ’が、計測マークとしての内側マークＭＭＡの像ＭＭＡ’とは、ＸＹ面内で逆向きに同一量シフトする、位相シフトマークが用いられている。このため、像ＭＭＢ’に対する像ＭＭＡ’の計測方向の位置誤差が、基準マーク像ＭＭＢ’の設計上の位置（フォーカス状態の像の形成位置）からの位置ずれ量と、計測マークの像ＭＭＡ’ の設計上の位置（フォーカス状態の像の形成位置）からの位置ずれ量との和、すなわち、基準マークの像がシフトしない場合の２倍に一致している。従って、像のシフト量が微小な場合であっても、重ね合わせ計測装置１２０を用いて、像ＭＭＢ’に対する像ＭＭＡ’の計測方向の位置誤差を精度良く計測することが可能になっている。
【０１１６】
さらに、本実施形態では、上述のようにして投影光学系ＰＬのスタティック・フィールドに対応する像面が高精度に計測され、その計測結果を考慮して、露光装置１００の投影光学系ＰＬの調整が行われ、さらにこれら計測結果及び調整結果を考慮して、ウエハステージＷＳＴを調整しつつ、レチクルＲに形成されたパターンが投影光学系ＰＬを介してウエハＷ上に転写される。従って、レチクルＲに形成されたパターンを精度良くウエハＷ上に転写することが可能となる。
【０１１７】
なお、上記実施形態では、第１の照明条件が第１の小σ条件であり、第２の照明条件が第２の小σ条件である場合について説明したが、第１の照明条件が小σ照明条件であり、第２の照明条件がσ値が０．５より大きな照明条件、例えば通常照明条件（例えばσ値０．７程度）であっても良く、あるいはこの反対であっても良い。前者の場合には、第２の照明条件下では、デフォーカスによってマークの像の横ずれが生じないので、前述した式（８）、（９）の計算を行う際には、ｋ2＝０として計算を行えば良い。後者の場合には、第１の照明条件下では、デフォーカスによってマークの像の横ずれが生じないので、前述した式（８）、（９）の計算を行う際には、ｋ1＝０として計算を行えば良い。
【０１１８】
なお、上記実施形態では、投影光学系ＰＬの結像性能を計測するに際し、第１の照明条件下、第２の照明条件下で、それぞれ計測用レチクルＲＴを用いて、静止露光（一括露光）を行って、その結果得られた第１ウエハ、第２ウエハ上の基準マーク及び計測マークのレジスト像の計測結果から、投影光学系ＰＬの結像性能として、スタティック・フィールドに対応する像面を求める場合について例示したが、本発明がこれに限定されないことは勿論である。
【０１１９】
例えば、投影光学系の視野内の１点に位置するフォーカステストマークのみをウエハ上にそれぞれ転写することにより、そのフォーカステストマークのレジスト像を計測して投影光学系の結像性能として投影光学系のベストフォーカス位置を算出することとしても良い。
【０１２０】
あるいは、第１の照明条件下、第２の照明条件下で、それぞれ計測用レチクルＲＴを用いて、走査露光を行って、第１ウエハ、第２ウエハ上に計測用レチクル上の各フォーカスマークＦＴＰi,j（ｉ＝１〜９、ｊ＝1〜３）のレジスト像を形成しても良い。この場合、主制御装置２０は、前述の図７のフローチャートではなく、図８のフローチャートに従った処理を行えば良い。
【０１２１】
この図８のフローチャート中のステップ５０２〜５２０は、前述のステップ４０２〜４２０と全体的には同様になっているが、その一部が相違している。すなわち、ステップ５０３におけるレチクルアライメントに際しては、レチクルアライメント系で、計測用レチクルＲＴ上の少なくとも２対のレチクルアライメントマークと対応する基準マーク板ＦＭ上のレチクルアライメント用の第１基準マークとの相対位置を計測し、この計測結果に基づいて、レチクル干渉計１６の測長軸で規定されるレチクルステージ座標系とウエハ干渉計１８の測長軸で規定されるウエハステージ座標系との関係を求める。
【０１２２】
また、ステップ５１０では、ウエハ上に第ｎ回目の露光を行うための加速開始位置にウエハを移動する必要がある。その他は、前述のステップ４０２〜４２０と同様である。
【０１２３】
そして、上記のようにして走査露光方式で計測用レチクルＲＴのパターンが転写された第１ウエハ及び第２ウエハ上の計測マークの像、基準マークの像の計測結果に基づいて、各フォーカスマークＦＴＰi,j（ｉ＝１〜９、ｊ＝1〜３）に対応するデフォーカス量をそれぞれ求めても良い。かかる場合には、このデフォーカス量に基づいて、レチクルステージＲＳＴとウエハステージＷＳＴとの走査方向の位置に応じた、例えばレチクルステージＲＳＴとウエハステージＷＳＴとの少なくとも一方の、Ｚ軸方向の位置変化など、投影光学系ＰＬの結像性能以外の露光装置の性能を、レチクルパターンの描画誤差などに影響を受けることなく、精度良く求めることが可能になる。
【０１２４】
なお、レジスト像の計測は、重ね合わせ計測装置に限らず、露光装置１００が備えるアライメント系ＡＳを用いて行っても良い。
【０１２５】
また、第１の照明条件下、第２の照明条件下で、第１ウエハ、第２ウエハ上には、それぞれ１ショットのみを形成しても良い。また、第１の照明条件下、第２の照明条件下で、計測用レチクルＲＴのパターン領域の少なくとも一部の投影像を第１の像、第２の像としてそれぞれ形成し、各投影像を空間像計測器で計測し、この計測結果に基づいて、計測用レチクルＲＴ上の少なくとも一部のフォーカステストマークに対応するデフォーカス量等を求めても良い。
【０１２６】
この場合、計測用レチクルＲＴ上の少なくとも一部のフォーカステストマークに対応するデフォーカス量に基づいて、投影光学系ＰＬの像面湾曲などを上記実施形態と同様に調整しても良いが、走査露光の際に、照明系（６、１２）、レチクルステージＲＳＴ、投影光学系ＰＬ及びウエハステージＷＳＴの少なくとも一部を調整しても良い。
【０１２７】
なお、上記実施形態では、フォーカステストマークがボックス状のマークである場合について説明したが、本発明がこれに限られるものではなく、例えば、図９（Ａ）に示されるような、ライン・アンド・スペースパターンから成るフォーカステストマークＦＴＰ1,1’、ＦＴＰ1,2’…を用いても良い。このフォーカステストマークとしては、Ｘ軸方向を計測方向とするパターン群とＹ軸方向を計測方向とするパターン群とから構成され、図９（Ｂ）にフォーカステストマークＦＴＰ1,1’のＸ軸方向を計測方向とするパターン群が代表的に示されるように、副尺３３ａと、該副尺３３ａの配列方向両側に設けられた一対の主尺３３ｂとを備えている。前記主尺３３ｂは、所定間隔で配列された複数本（４本）のラインパターン４５ｂを有し、各ラインパターン４５ｂの＋Ｘ側には位相シフト部４７がそれぞれ設けられている。前記副尺３３ａは、所定間隔で配列された複数本（６本）のラインパターン４５ａを有し、各ラインパターン４５ａの−Ｘ側には位相シフト部４７ａがそれぞれ設けられている。
【０１２８】
このように、主尺３３ｂと副尺３３ａとでは、ラインパターンと位相シフト部との位置関係が逆になっているため、デフォーカス状態で転写した場合には、主尺３３ｂを構成するラインパターン４５ｂの像と副尺３３ａを構成するラインパターン４５ａの像とは、フォーカス状態で転写した場合に対して、逆方向にシフトするようになっている。
【０１２９】
なお、Ｙ方向を計測方向とするパターン群も同様に構成されており、その他のフォーカステストマークＦＴＰ1,2’…も同様に構成されている。
【０１３０】
このようなフォーカステストマークＦＴＰ1,1’、ＦＴＰ1,2’…が形成されている計測用レチクルＲＴ’を用いることで、上記実施形態と同様の効果を得ることができる。
【０１３１】
なお、上記実施形態のようなボックス状のマークから成るフォーカステストマークとライン・アンド・スペースパターンから成るフォーカステストマークとを計測用レチクル上に併設し、両パターンを用いて投影光学系の結像性能を計測することとしても良い。
【０１３２】
なお、上記実施形態では、フォーカステストマークを計測用レチクルＲＴに配設する場合について説明したが、これに限らず、例えば、レチクルステージ上に常設されるレチクル基準板等にフォーカステストマークを設けることとしても良い。
【０１３３】
なお、上記実施形態では、基準マークＭＭＢの像が計測マークＭＭＡの像に対して反対方向に移動するような基準マークＭＭＢと計測マークＭＭＡとから成るフォーカステストマークを用いてデフォーカス量を計測する場合について説明したが、本発明がこれに限られるものではなく、基準マークとしてデフォーカスによってその像がシフトしないマークを用いても良い。従って、この意味からすれば、基準マークを設けなくても良い。かかる場合であっても、計測マークの像の形成位置の設計位置からのずれを計測することで、計測マークの像のデフォーカスに応じた位置ずれ情報の計測が可能である。
【０１３４】
なお、上記実施形態では、前述のフォーカステストマークＦＴＰi,jが形成されたいわゆるレベンソン型の位相シフトレチクルを計測用レチクルとして用いる場合について説明した。しかしながら、本発明の計測方法に用いられる、計測マークが形成された部材が、これに限定されないことは勿論である。すなわち、特許第３，２９７，４２３号公報に開示されるような非対称回折格子パターンが計測マークとして形成されたフォーカステストマスクを、計測用レチクルに代えて用いても良い。この他、マーク（又はパターン）のデフォーカスに起因してそのマーク（又はパターン）の像が、投影光学系の光軸に垂直な面内で位置ずれするようなマークでしかも照明条件によってその位置ずれ量が変化するマークが形成された部材であれば、本発明の計測方法に用いることができる。
【０１３５】
なお、上記実施形態では、リソグラフィシステム３００のホストコンピュータ１５０が、その配下にある、露光装置１００、Ｃ／Ｄ１１０及び重ね合わせ計測装置１２０に適宜指令を与えることで、オペレータが介在することなく、投影光学系の結像性能を計測するための一連の処理を行う場合について説明したが、一部、オペレータが介在しても良い。また、ホストコンピュータ１５０によって実行される図６の処理アルゴリズムの少なくとも一部を、露光装置１００の主制御装置２０が実行することとしても良い。
【０１３６】
この他、露光装置１００とインラインにて接続されたＣ／Ｄ１１０とで、投影光学系の結像性能の計測方法を実行するようにすることもできる。この場合には、重ね合わせ計測装置１２０で行っていたレジスト像の測定を、露光装置１００のアライメント系ＡＳを用いて行うとともに、ホストコンピュータ１５０によって実行される図６の処理アルゴリズムと同様の処理を、露光装置１００の主制御装置２０が行うようにすれば良い。
【０１３７】
なお、上記実施形態では、投影光学系ＰＬの結像性能が計測される露光装置が、スキャナである場合を説明したが、本発明の計測方法及び調整方法は、スキャナに限らず、ステッパなどの静止型露光装置や、ステップ・アンド・スティッチ方式の露光装置などにも同様に適用できる。
【０１３８】
また、露光装置の露光対象である物体は、上記の実施形態のように半導体製造用のウエハに限定されることなく、例えば、液晶表示素子、プラズマディスプレイや有機ＥＬなどのディスプレイ装置の製造用の角型のガラスプレートや、薄膜磁気ヘッド、撮像素子（ＣＣＤなど）、マスク又はレチクルなどを製造するための基板であっても良い。
【０１３９】
また、上記実施形態の露光装置における投影光学系の倍率は縮小系のみならず等倍および拡大系のいずれでも良いし、投影光学系ＰＬは屈折系のみならず、反射系及び反射屈折系のいずれでも良いし、その投影像は倒立像及び正立像のいずれでも良い。
【０１４０】
また、露光装置の光源としては、Ｆ2レーザ（出力波長１５７ｎｍ）等の真空紫外域のパルス光を出力する光源や、ＫｒＦエキシマレーザ（出力波長２４８ｎｍ）などの近紫外域のパルス光を出力する光源などを用いても良い。
【０１４１】
さらに、例えば国際公開ＷＯ９９／４９５０４号パンプレットなどに開示される、投影光学系ＰＬとウエハとの間に液体（例えば純水など）が満たされる液浸型露光装置なども、本発明の結像性能計測方法により、投影光学系の結像性能を計測することができる。
【０１４２】
なお、半導体デバイスは、デバイスの機能・性能設計を行うステップ、この設計ステップに基づいたレチクルを製作するステップ、シリコン材料からウエハを製作するステップ、上記実施形態の露光装置を用いて本発明の露光方法を行い、マスクに形成されたパターンを感光物体上に転写するリソグラフィステップ、デバイス組み立てステップ（ダイシング工程、ボンディング工程、パッケージ工程を含む）、検査ステップ等を経て製造される。この場合、リソグラフィステップで、上記実施形態の露光装置を用いて本発明の露光方法が実行されるので、高集積度のデバイスを歩留り良く製造することができる。
【産業上の利用可能性】
【０１４３】
以上説明したように、本発明の結像性能計測方法は、投影光学系の結像性能を計測するのに適している。また、本発明の露光方法は、照明系からの照明光により、マスクステージ上に載置されたマスクを照明し、マスクに形成されたパターンを投影光学系を介して物体ステージ上に載置された物体に転写するのに適している。
【図面の簡単な説明】
【０１４４】
【図１】本発明に係る結像性能計測方法の実施に好適なリソグラフィシステムの全体構成を概略的に示す図である。
【図２】図１の露光装置を示す概略図である。
【図３】一実施形態に係る計測用レチクルの底面図である。
【図４】図４（Ａ）は、フォーカステストマークを拡大して示す図であり、図４（Ｂ）は、フォーカステストマークの位相シフト部近傍を拡大して示す断面図である。
【図５】図５（Ａ）は、フォーカス状態でフォーカステストマークを露光した場合に得られる像を示す図であり、図５（Ｂ）は、デフォーカス状態でフォーカステストマークを露光した場合に得られる像を示す図である。
【図６】ホストコンピュータ１５０の処理アルゴリズムを示すフローチャートである。
【図７】図６のステップ３０２の指示に応じて露光装置の主制御装置によって実行される処理アルゴリズムを示すフローチャートである。
【図８】図７のフローチャートの変形例であって、第１、第２の照明条件下で、走査露光を行う場合の、露光装置の主制御装置の処理アルゴリズムを示す図である。
【図９】図９（Ａ）、図９（Ｂ）は、計測用レチクルの変形例を説明するための図である。
【符号の説明】
【０１４５】
６…光源（照明系の一部）、１２…照明光学系（照明系の一部）、ＭＭＡ…内側マーク（計測マーク）、ＭＭＢ…外側マーク（基準マーク）、ＭＡ１〜ＭＡ４…計測マーク要素（ラインパターン）、ＰＬ…投影光学系、ＰＳ１〜ＰＳ４…位相シフト部、Ｒ…レチクル（マスク）、ＲＳＴ…レチクルステージ（マスクステージ）、ＲＴ…計測用レチクル（マーク形成部材）、Ｗ…ウエハ（物体）、ＷＳＴ…ウエハステージ（物体ステージ）。
【図１】
2006080299.tif 000005
【図２】
2006080299.tif 000006
【図３】
2006080299.tif 000007
【図４】
2006080299.tif 000008
【図５】
2006080299.tif 000009
【図６】
2006080299.tif 000010
【図７】
2006080299.tif 000011
【図８】
2006080299.tif 000012
【図９】
2006080299.tif 000013